(57)【特許請求の範囲】
【請求項１】
パラシュート（１）とパラシュート（１）の外縁に設けた複数の糸（２）でパラシュート（１）の中央下部に吊下して取り付けるステイック（３）からなる投げ上げパラシュート玩具であって、前記ステイック（３）は流動可能な錘（５）を封入した中空体からなり、また前記パラシュート（１）は中央下部にステイック（３）の頭部を突き合わせ、保持し緩く嵌め合わせることを可能とする下方に開いたステイック受（４）を備え、さらに前記パラシュート（１）の中央頂部にスットパー（９）を取り付けた投げ上げパラシュート玩具。
【請求項２】
ステイック（３）の首部に複数の糸（２）を纏めて装着するハーネス（７）を設け、この複数の糸（２）でパラシュート（１）を装着する請求項１記載の投げ上げパラシュート玩具。
【請求項３】
ステイック（３）の頭部にガイド糸（８）を取り付け、このガイド糸（８）の他端はパラシュート（１）に装着したステイック受（４）に取り付けた請求項１および請求項２記載の投げ上げパラシュート玩具。
【発明の詳細な説明】
【０００１】
【発明の属する技術分野】
本発明は、投げ上げパラシュート玩具に関する。
【０００２】
【従来の技術】
従来の投げ上げパラシュート玩具は、パラシュートと錘とこれを結合する複数の糸からなっている。
投げ上げに際しては、折り畳んだパラシュートに、複数の糸を巻き付け、錘を挟んで投げ上げるなどをしている。
【０００３】
【発明が解決しようとする課題】
投げ上げたパラシュートは折り畳んだパラシュートの空気抵抗で十分な高さに達しないや、開傘時機がまちまちで、開傘しないでそのまま落下するなどで興味が長続きせず玩具として普及していない。
この発明は、投げ上げ前の準備が簡単で、投げ上げが容易にでき、投げ上げると高くに達する快感と、高空で開いて浮遊落下を楽しむ投げ上げパラシュート玩具を提供する。
【０００４】
【課題を解決するための手段】
上記目的を達成するための第１の課題解決手段は、柔軟なシートで円形または多角形に形成したパラシュートとこのパラシュートの外縁に設けた複数の糸でパラシュートの中央下部に吊下して取り付けるステイックからなる投げ上げパラシュート玩具であって、前記ステイックは流動可能な錘を封入した中空体からなり、また前記パラシュートは中央下部にステイックの頭部を突き合わせ保持し緩く嵌め合わせることを可能とする下方に開いたステイック受を備え、さらに前記パラシュートの中央頂部にスットパーを取り付ける構造としたものである。
【０００５】
ステイックは折り畳んだ時のパラシュートの末端より長くする。
また、ステイックの下端には握りを設ける。
【０００６】
さらにまた複数の糸は、ステイックの首部に纏めて装着し、パラシュートを折り畳んだ時、パラシュートの末端からはみ出さない長さにする。
その上、糸はパラシュートの開傘に十分な長さにする。
【０００７】
錘は流動可能なものが良く、水や金属球などが使用できる。
【０００８】
また第２の課題解決手段は、第１の課題解決手段に加え、ステイックの首部に複数の糸を纏めて装着するハーネスを設け、この複数の糸でパラシュートを装着する構成としたものである。
【０００９】
さらにまた第３の課題解決手段は、前記第２の課題解決手段に加え、ステイックの頭部にガイド糸を取り付け、このガイド糸の他端はパラシュートに装着したステイック受に取り付ける構成としたものである。
【００１０】
上記第１の課題解決手段による作用は次の通りである。投げ上げ前に、パラシュートを開いて、中央のステイック受にステイックの頭部を突き合わせ保持し緩く嵌め合わせ、ステイックにパラシュートを纏めて添わせ折り畳むと、ステイックと一緒に糸がパラシュートの中に繰り込まれ、絡まることもなく投げ上げ前準備が簡単に完了する。
【００１１】
投げ上げは、ステイックの握りとパラシュートの末端を同時に持って、スイングして投げ上げる。
【００１２】
投げ上げ前に、先端を下に向けると、流動可能な錘が中空体のステイック内を先方に移動して、折り畳んだパラシュートが前重心となる。
そのまま投げ上げると、ステイックの長さで投げ上げが容易になり、より大きな慣性モーメントを得て上空に達する。
【００１３】
錘がパラシュートを吹流して上昇するにつれ速度が失われ、パラシュートにかかる空気抵抗と重力変化によりステイック内の錘が下方に移動し、折り畳んで飛翔中のパラシュートの重心が後方に変化する。
パラシュートの中からステイックが離脱して落下すると、大きい空気抵抗を受けるパラシュートを複数の糸が牽引して開傘させ、浮遊しながら落下する。
【００１４】
パラシュートの中央頂部にストッパーを取り付ける構造とするので、これを掴んでパラシュートの取り扱いが出来るので便利である。
また、パラシュートが何かに衝突する際、このストッパーがパラシュート玩具と被衝突物を保護する。
さらにまた、吹流して上昇する際、パラシュートの弾頭となって空気を整流する。
【００１５】
第２の課題解決手段による作用は次の通りである。ステイックの首部に複数の糸を纏めて装着するに柔軟なシート状のハーネスを設けると、糸の結合場所が広くなるので、それぞれの位置に糸を取り付けやすい。
また、柔軟なシートとするため、ステイックに装着するパラシュートの動きに合わせて屈折し、糸の柔軟な動きが得られる。
さらにまた、パラシュートが展開した時、糸が整理されるので絡みが防止ができる。
【００１６】
第３の課題解決手段による作用は次の通りである。ステイックの頭部にガイド糸を取り付け、その他端はステイック受に装着すると、開傘パラシュートの中央にガイド糸が芯線となるので、ステイックと外周の糸が絡まらない。
このガイド糸の長さはパラシュートの開傘時に、その頂部をわずかに緊縮に係留する長さにするのが好ましく、外周に設けた複数の糸での懸垂に加え、パラシュートの中央天頂を引き下げて吊下するので、パラシュートの開傘面積が拡大し、浮遊時間が長くなる。
【００１７】
【発明の効果】
以上説明したように、投げ上げ前の準備が簡単で、投げ上げが容易にでき、投げ上げると高くに達する快感と、高空で開いて浮遊落下が楽しめる、安全な投げ上げパラシュート玩具を提供できる。
【００１８】
【発明の実施の形態】
発明の実施の形態を実施例にもとづき図面を参照して説明する。
図１において、柔軟なシートで形成する円形または多角形ののパラシュート１の外縁にほぼ等間隔で複数の糸２を取り付ける。
この糸２でパラシュート１の中央下部にステイック３を吊下げて取り付ける。
さらに、パラシュート１の中央天頂下にステイック受４を設け、さらにまた、中央天頂にはストッパー９を設ける。
【００１９】
図２において、ステイック３内に流動可能な錘５を封入し、複数の糸２はステイック３の首部に取り付ける、さらに、ステイック３の下部には握り４を設けている。
【００２０】
図３は図１の示した実施例に加え、複数の糸２をステイック３に装着するのにハーネス７を設けている。
【００２１】
図４に示される実施例では、図３の実施例に加えて、ステイック３の頭部とステイック受４との間にガイド糸８を設けた実施例である。
【００２２】
図５は、パラシュート１とハーネス７を糸２で装着した状態を示したものである。。
【００２３】
【図面の簡単な説明】
【図１】  パラシュートとステイックの取り付けを示す縦面図である。
【図２】  図１のステイック部の拡大側面断面図である。
【図３】  第２例の取り付けを示す縦面図である。
【図４】  第３例の取り付けを示す一部切開縦面図である。
【図５】  部品の取付を示す平面展開図である。
【００２４】
【符号の説明】
１                パラシュート
２                糸
３                ステイック
４                ステイック受
５                錘
６                握り
７                ハーネス
８                ガイド糸
９                ストッパー
１０                緩衝カバー
【図１】
0003962995.tif 000002
【図２】
0003962995.tif 000003
【図３】
0003962995.tif 000004
【図４】
0003962995.tif 000005
【図５】
0003962995.tif 000006